【手続補正書】
【提出日】平成24年11月22日(2012.11.22)
【手続補正１】
【補正対象書類名】特許請求の範囲
【補正対象項目名】全文
【補正方法】変更
【補正の内容】
【特許請求の範囲】
【請求項１】
クライアントシステムを、ユーザに関連付けられ、リモートに記憶された複数のメッセージメールボックスにアクセスするように構成する方法であって、前記方法は、
前記クライアントシステムから電子通信ネットワークを介して、スキーマに従った自動発見応答ドキュメントを前記クライアントシステムに提供するように前記サーバシステムに命令するという自動発見要求を、前記サーバシステムに送信するステップと、
前記サーバシステムから前記電子通信ネットワークを介して、前記クライアントシステムにおいて、前記自動発見要求に応答する自動発見応答を受信するステップであって、前記自動発見応答は、前記自動発見応答ドキュメントを含み、前記自動発見応答ドキュメントは、
前記ユーザに関連付けられた主メールボックスを前記サーバシステムに対して特定するメールボックス識別データの第１セットを含む主メールボックス要素と、
前記主メールボックスのピアであり前記ユーザに関連付けられた代替メールボックスを、前記サーバシステムに対して特定するメールボックス識別データの第２セットを含む代替メールボックス要素と
を含む、受信するステップと、
前記自動発見応答を受信した後、前記クライアントシステムにおいて、前記第１セットを用いて、前記主メールボックスのメッセージオブジェクトにアクセスするステップと、
前記自動発見応答を受信した後、前記クライアントシステムにおいて、前記第２セットを用いて、前記代替メールボックスのメッセージオブジェクトにアクセスするステップと
を備えたことを特徴とする方法。
【請求項２】
前記自動発見応答ドキュメントは、拡張可能なマーク付け言語（ＸＭＬ）ドキュメントであり、前記代替メールボックス要素は、ＸＭＬ要素であることを特徴とする請求項１に記載の方法。
【請求項３】
前記代替メールボックスのメッセージオブジェクトにアクセスするステップは、前記クライアントシステムに前記代替メールボックスの複製を記憶せずに、前記クライアントシステムにおいて、前記代替メールボックスの前記メッセージオブジェクトの個々のメッセージオブジェクトにアクセスするステップを含むことを特徴とする請求項２に記載の方法。
【請求項４】
前記主メールボックスのメッセージオブジェクトにアクセスするステップは、
前記クライアントシステムに記憶された前記主メールボックスの複製を、前記サーバシステムに記憶された前記主メールボックスの複製に同期させる要求を、前記クライアントシステムから前記サーバシステムに送信するステップと、
前記同期させる要求に応答して、前記サーバシステムから前記クライアントシステムにおいて、前記クライアントシステムに記憶された前記主メールボックスの前記複製を、前記サーバシステムに記憶された前記主メールボックスの前記複製に同期させるデータを受信するステップと
を含むことを特徴とする請求項１に記載の方法。
【請求項５】
前記第１セットは、前記主メールボックスを特定させる第１のレガシ識別名と、前記主メールボックスを記憶するメールボックスデータベースを特定させる第１のメールボックスデータベース識別名と、前記第１のメールボックスデータベース識別名によって特定された前記メールボックスデータベースへのアクセスを提供するメールボックスサーバを特定させる第１のメールボックスサーバ名と、前記第１のメールボックスサーバ名によって特定された前記メールボックスサーバが動作するコンピューティング装置を特定させる第１のサーバ識別名とが指定されており、
前記第１セットを用いて、前記主メールボックスのメッセージオブジェクトにアクセスするステップは、前記第１のサーバ識別名によって特定された前記コンピューティング装置で動作している、前記第１のメールボックスサーバ名によって特定されたメールボックスサーバを介して利用可能な、前記第１のメールボックスデータベース識別名によって特定されたメールボックスデータベースの、前記第１のレガシ識別名によって特定された前記主メールボックスに、前記クライアントシステムにおいて、アクセスするステップを含むことを特徴とする請求項１に記載の方法。
【請求項６】
前記第２セットは、前記代替メールボックスを特定させる第２のレガシ識別名と、前記代替メールボックスを記憶するメールボックスデータベースを特定させる第２のメールボックスデータベース識別名と、前記第２のメールボックスデータベース識別名によって特定された前記メールボックスデータベースへのアクセスを提供するメールボックスサーバを特定させる第２のメールボックスサーバ名と、前記第２のメールボックスサーバ名によって特定された前記メールボックスサーバが動作するコンピューティング装置を特定させる第２のサーバ識別名とが指定されており、
前記第２セットを用いて、前記代替メールボックスのメッセージオブジェクトにアクセスするステップは、前記第２のサーバ識別名によって特定された前記コンピューティング装置で動作している、前記第２のメールボックスサーバ名によって特定された前記メールボックスサーバを介して利用可能な、前記第２のメールボックスデータベース識別名によって特定された前記メールボックスデータベースの、前記第２のレガシ識別名によって特定された前記代替メールボックスに、前記クライアントシステムにおいて、アクセスすることを含むことを特徴とする請求項１に記載の方法。
【請求項７】
前記自動発見要求を送信するステップは、有効期限タイマーの終了、ローカルプロファイルの生成、前記ローカルプロファイルの修復、障害状態、およびメッセージングクライアントアプリケーションの再起動を含む自動発見イベント群のうちの自動発見イベントの発生に応答して、前記自動発見要求を送信するステップを含むことを特徴とする請求項１に記載の方法。
【請求項８】
前記自動発見応答を受信するステップの後、前記ユーザのローカルプロファイルに、前記自動発見応答ドキュメントに含まれていないメールボックス識別データの第３セットが指定されているか否かを、前記クライアントシステムにおいて、判定するステップと、
前記ユーザの前記ローカルプロファイルに、前記第３セットが指定されている場合、前記クライアントシステムにおいて、前記第３セットを前記ユーザの前記ローカルプロファイルから削除するステップと
をさらに備えたことを特徴とする請求項１に記載の方法。
【請求項９】
前記ユーザが前記主メールボックスのメッセージオブジェクトおよび前記代替メールボックスのメッセージオブジェクトと対話できるようにするユーザインタフェースを、前記クライアントシステムにおいて、表示装置に提示することをさらに備えたことを特徴とする請求項１に記載の方法。
【請求項１０】
電子コンピューティング装置であって、
処理装置と、
前記電子コンピューティング装置が電子通信ネットワークを介して、クライアントシステムと通信できるようにするネットワークインタフェースと、
コンピュータ実行可能命令を記憶するコンピュータ可読記憶システムと
を備え、前記コンピュータ実行可能命令を前記処理装置によって実行すると、前記コンピュータ実行可能命令によって、前記処理装置は、
スキーマに従った自動発見応答ドキュメントを前記クライアントシステムに提供するように前記電子コンピューティング装置に命令するという自動発見要求を、前記クライアントシステムから前記電子通信ネットワークを介して、受信し、
前記電子コンピューティング装置から前記電子通信ネットワークを介して前記クライアントシステムに、前記自動発見要求に応答する自動発見応答を送信し、前記自動発見応答は、前記自動発見応答ドキュメントを含み、前記自動発見応答ドキュメントは、
前記ユーザに関連付けられた主メールボックスを特定させるメールボックス識別データの第１セットを含む主メールボックス要素であって、前記第１のセットによって、前記クライアントシステムは前記主メールボックスのメッセージオブジェクトにアクセスできる、主メールボックス要素と、
前記主メールボックスのピアであり前記ユーザに関連付けられた代替メールボックスを特定するメールボックス識別データの第２セットを含む代替メールボックス要素であって、前記第２のセットによって、前記クライアントシステムは前記代替メールボックスのメッセージオブジェクトにアクセスできる、代替メールボックス要素と
を含むことを特徴とする電子コンピューティング装置。
【請求項１１】
前記コンピュータ実行可能命令によって、前記処理装置は、さらに、
前記自動発見要求の受信に応答して、前記ユーザのリモートプロファイルをディレクトリサーバから取り出し、
前記ユーザの前記リモートプロファイルを用いて、前記ユーザに関連付けられたメールボックスを特定することによって、前記主メールボックスと前記代替メールボックスとを特定し、
前記ユーザの前記リモートプロファイルは前記クライアントシステムを構成せずに定義されていることを特徴とする請求項１０に記載の電子コンピューティング装置。
【請求項１２】
前記コンピュータ実行可能命令によって、前記処理装置は、さらに、
前記ユーザの前記リモートプロファイルを用いて、前記第１セットを生成し、
前記ユーザの前記リモートプロファイルを用いて、前記第２セットを生成する
ことを特徴とする請求項１１に記載の電子コンピューティング装置。
【請求項１３】
前記第１セットは、前記主メールボックスを特定させる第１のレガシ識別名と、前記主メールボックスを記憶するメールボックスデータベースを特定させる第１のメールボックスデータベース識別名と、前記第１のメールボックスデータベース識別名によって特定された前記メールボックスデータベースへのアクセスを提供するメールボックスサーバを特定させる第１のメールボックスサーバ名と、前記第１のメールボックスサーバ名によって特定された前記メールボックスサーバが動作するコンピューティング装置を特定させる第１のサーバ識別名とが指定されており、
前記第２セットは、前記代替メールボックスを特定させる第２のレガシ識別名と、前記代替メールボックスを記憶するメールボックスデータベースを特定させる第２のメールボックスデータベース識別名と、前記第２のメールボックスデータベース識別名によって特定された前記メールボックスデータベースへのアクセスを提供するメールボックスサーバを特定させる第２のメールボックスサーバ名と、前記第２のメールボックスサーバ名によって特定された前記メールボックスサーバが動作するコンピューティング装置を特定させる第２のサーバ識別名とが指定されており、、
前記第２のセットは、前記第２のレガシ識別名が第１の拡張可能なマーク付け言語（ＸＭＬ）要素であり、前記第２のメールボックスデータベース識別名が第２のＸＭＬ要素であり、前記第２のメールボックスサーバ名が第３のＸＭＬ要素であり、前記第２のサーバ識別名が第４のＸＭＬ要素であることを特徴とする請求項１２に記載の電子コンピューティング装置。
【請求項１４】
前記第１のサーバ識別名と前記第２のサーバ識別名は、サーバシステム内の様々な電子コンピューティング装置を特定させることを特徴とする請求項１３に記載の電子コンピューティング装置。
【請求項１５】
コンピュータ実行可能命令を有するコンピュータ可読記憶媒体であって、前記コンピュータ実行可能命令を電子コンピューティング装置の処理装置によって実行すると、前記処理装置は、
スキーマに従った自動発見応答ドキュメントを前記クライアントシステムに提供するように前記電子コンピューティング装置に命令するという自動発見要求であって、主メールボックスを特定するための前記自動発見要求を、クライアントシステムから電子通信ネットワークを介して、受信し、
前記自動発見要求の受信に応答して、メッセージングシステムの登録ユーザに関する、管理者が管理するリモートプロファイルを記憶するライトウェイトディレクトリアクセスプロトコル（ＬＤＡＰ）ディレクトリサーバから、前記主メールボックスに関連付けられたユーザのリモートプロファイルを取り出し、
前記主メールボックスに関連付けられた前記ユーザの前記リモートプロファイルを用いて、前記クライアントシステムのユーザが前記主メールボックスへのアクセスを許可されているか否かを判定し、
前記クライアントシステムの前記ユーザが前記主メールボックスへのアクセスを許可されていない場合、前記電子通信ネットワークを介して前記クライアントシステムにエラー応答を送信し、
前記クライアントシステムの前記ユーザが前記主メールボックスへのアクセスを許可されている場合、前記リモートプロファイルを用いて、メールボックス識別データの第１セットを生成し、前記第１セットは、前記主メールボックスを特定させる第１のレガシ識別名を指定する第１の拡張可能なマーク付け言語（ＸＭＬ）要素と、前記主メールボックスを記憶するメールボックスデータベースを特定させる第１のメールボックスデータベース識別名を指定する第２のＸＭＬ要素と、前記第１のメールボックスデータベース識別名によって特定された前記メールボックスデータベースへのアクセスを提供するメールボックスサーバを特定させる第１のメールボックスサーバ名を指定する第３のＸＭＬ要素と、前記第１のメールボックスサーバ名によって特定された前記メールボックスサーバが動作するコンピューティング装置を特定させる第１のサーバ識別名を指定する第４のＸＭＬ要素とが指定され、
前記クライアントシステムの前記ユーザが前記主メールボックスへのアクセスを許可されている場合、前記ユーザの前記リモートプロファイルを用いて、メールボックス識別データの第２セットを生成し、前記第２セットは、アーカイブメールボックスを特定させる第２のレガシ識別名を指定する第５のＸＭＬ要素と、前記アーカイブメールボックスを記憶するメールボックスデータベースを特定させる第２のメールボックスデータベース識別名を指定する第６のＸＭＬ要素と、前記第２のメールボックスデータベース識別名によって特定された前記メールボックスデータベースへのアクセスを提供するメールボックスサーバを特定させる第２のメールボックスサーバ名を指定する第７のＸＭＬ要素と、前記第２のメールボックスサーバ名によって特定された前記メールボックスサーバが動作するコンピューティング装置を特定させる第２のサーバ識別名を指定する第８のＸＭＬ要素とが指定され、
前記電子通信ネットワークを介して前記クライアントシステムに、前記自動発見要求に応答する自動発見応答を送信し、前記自動発見応答は、ＸＭＬドキュメントとしてフォーマットされた自動発見応答ドキュメントを含み、前記自動発見応答ドキュメントは、前記第１のＸＭＬ要素、前記第２のＸＭＬ要素、前記第３のＸＭＬ要素、前記第４のＸＭＬ要素、前記第５のＸＭＬ要素、前記第６のＸＭＬ要素、前記第７のＸＭＬ要素および前記第８のＸＭＬ要素を含み、前記処理装置はさらに、
前記自動発見応答が前記クライアントシステムに送信された後、前記主メールボックスの電子メールメッセージオブジェクトにアクセスを求める第１の要求を前記クライアントシステムから受信し、
前記自動発見応答が前記クライアントシステムに送信された後、前記アーカイブメールボックスの電子メールメッセージオブジェクトへのアクセスを求める第２の要求を前記クライアントシステムから受信する
ことを特徴とするコンピュータ可読記憶媒体。